(57)【要約】【課題】収容される浴用剤の溶解速度を調節することが可能な構成を備えるシャワーヘッドを提供する。【解決手段】湯水混合領域Ｓ３において、浴用剤成分を含む湯水（Ｆ２）と、流路１０１ａから直接流入した湯水（Ｆ１）とが攪拌され、浴用剤成分が混合された湯水（Ｆ３）となる。また、浴用剤１３０が収容された第１流通領域Ｓ１に流れ込む湯水は、流路１０１ａを通過した湯水の全量が流れ込まず一部のみが流れ込む。さらに、外側開口部１１７と内側開口部１２３とを用いた流入量調整機構によって第１流通領域Ｓ１に流れ込む湯水の量の調節が可能であることから、浴用剤１３０の溶解速度を調節することが可能となる。【選択図】図２
2013005861.tif 000002
【特許請求の範囲】
【請求項１】
内部に湯水を流通させる流路を設けた把持部と、
前記把持部の先端側に設けられ、前記流路を流通した前記湯水を外部に吐出する複数の吐出孔が設けられたシャワーヘッド本体と、を備えるシャワーヘッドであって、
前記シャワーヘッド本体は、
前記湯水の一部が流れ込むとともに、浴用剤が収容される第１流通領域と、
前記湯水の残りが流れ込む第２流通領域と、
前記第１流通領域を通過し前記浴用剤が溶解した前記湯水と、前記第２流通領域を通過した前記湯水とが混合する湯水混合領域と、
前記湯水混合領域に対して通過孔を有する隔壁で隔てられ、前記通過孔から前記湯水混合領域にて混合された前記湯水が流入されるとともに、複数の前記吐出孔が設けられる湯水吐出領域と、
を含む、シャワーヘッド。
【請求項２】
前記第１流通領域および前記第２流通領域の前記隔壁の表面に平行な平面でみた場合におけるそれぞれの面積の合計は、前記通過孔の開口面積よりも大きい、請求項１に記載のシャワーヘッド。
【請求項３】
前記第１流通領域は、前記第１流通領域に流れ込む前記湯水の流入量を調整する流入量調整機構を含む、請求項１または２に記載のシャワーヘッド。
【請求項４】
前記第１流通領域は、前記湯水混合領域へ流れ出る前記湯水の流出量を調整する流出量調整機構を含む、請求項１から３のいずれかに記載のシャワーヘッド。
【請求項５】
前記浴用剤が収容される前記第１流通領域において、前記浴用剤には固形形状の発泡性浴用剤が用いられる、請求項１から４のいずれかに記載のシャワーヘッド。
【発明の詳細な説明】
【技術分野】
【０００１】
この発明は、浴室等において、湯水（湯または水）を吐出するシャワーヘッドの構造に関する。
【背景技術】
【０００２】
特開２００４−２６９４２７公報（特許文献１）には、浴用剤入りシャワーヘッドが開示されている。この浴用剤入りシャワーヘッドにおいては、シャワーヘッド内に設けられる通水路に浴用剤が載置され、湯水が浴用剤を通過することで、浴用剤が溶解した湯水が、ノズルヘッドから吐出される。
【先行技術文献】
【特許文献】
【０００３】
【特許文献１】特開２００４−２６９４２７公報
【発明の概要】
【発明が解決しようとする課題】
【０００４】
近年、入浴においてお湯を張った浴槽に身体を浸けずに、シャワーのみで入浴を済ませるライフスタイルが多くなっている。この場合に、シャワーの使用時間は、約８分程度であるとの報告もある。
【０００５】
一方、シャワーのみで入浴を済ませる場合であっても、入浴と同等の浴用効果を得たいという希望もある。しかし、上記特許文献１に記載のシャワーヘッドでは、ノズルヘッドから浴用剤が溶解した湯水を吐出させた場合には、通水路に流入された湯水の全量が浴用剤を通過するために、浴用剤は瞬時にして溶解される。その結果、シャワーの使用時間の全時間にわたって、十分な浴用剤の効能を期待することができないと考えられる。
【０００６】
したがって、この発明は、上記課題を解決するためになされたもので、シャワーヘッドに収容される浴用剤の溶解速度を調節することが可能な構成を備えるシャワーヘッドを提供することを目的とする。
【課題を解決するための手段】
【０００７】
この発明に基づいた、シャワーヘッドにおいては、内部に湯水を流通させる流路を設けた把持部と、上記把持部の先端側に設けられ、上記流路を流通した上記湯水を外部に吐出する複数の吐出孔が設けられたシャワーヘッド本体とを備え、上記シャワーヘッド本体は、上記湯水の一部が流れ込むとともに、浴用剤が収容される第１流通領域と、上記湯水の残りが流れ込む第２流通領域と、上記第１流通領域を通過し上記浴用剤が溶解した湯水と、上記第２流通領域を通過した湯水とが混合する混合領域と、上記混合領域に対して通過孔を有する隔壁で隔てられ、上記通過孔から上記混合領域にて混合された上記湯水が流入されるとともに、複数の上記吐出孔が設けられる湯水吐出領域とを含む。
【０００８】
他の形態においては、上記第１流通領域および上記第２流通領域の、上記隔壁の表面に平行な平面でみた場合におけるそれぞれの面積の合計は、上記通過孔の開口面積よりも大きい。
【０００９】
他の形態においては、上記第１流通領域は、上記第１流通領域へ流れ込む上記湯水の流入量を調整する流入量調整機構を含む。
【００１０】
他の形態においては、上記第１流通領域は、上記湯水混合領域へ流れ出る上記湯水の流出量を調整する流出量調整機構を含む。
【００１１】
他の形態においては、上記浴用剤が収容される上記第１流通領域において、上記浴用剤には固形形状の発泡性浴用剤が用いられる。
【発明の効果】
【００１２】
この発明の基づいたシャワーヘッドにおいては、収容される浴用剤の溶解速度を調節することが可能となる。
【図面の簡単な説明】
【００１３】
【図１】実施の形態１におけるシャワーヘッドの構造を示す全体斜視図である。
【図２】実施の形態１におけるシャワーヘッドの内部構造を示す縦断面図である。
【図３】図２中のＩＩＩ−ＩＩＩ線矢視断面図である。
【図４】図２中のＩＶ−ＩＶ線矢視断面図である。
【図５】実施の形態１におけるシャワーヘッドに収容される浴用剤の形状を示す図である。
【図６】実施の形態１におけるシャワーヘッドの流入量調整機構および流出量調整機構を説明するための第１横断面図であり、図２中のＶＩ−ＶＩ線矢視断面図である。
【図７】実施の形態１におけるシャワーヘッドの流入量調整機構および流出量調整機構を説明するための第２横断面図であり、図２中のＶＩ−ＶＩ線矢視に相当する断面図である。
【図８】実施の形態１におけるシャワーヘッドの内部における湯水の流れを示す縦断面図である。
【図９】実施の形態２におけるシャワーヘッドの内部構造を示す縦断面図である。
【図１０】実施の形態２におけるシャワーヘッドの流入量調整機構および流出量調整機構を説明するための模式図である。
【図１１】実施の形態２におけるシャワーヘッドの内部における湯水の流れを示す縦断面図である。
【図１２】実施の形態３におけるシャワーヘッドの内部構造を示す縦断面図である。
【図１３】実施の形態３におけるシャワーヘッドの流入量調整機構および流出量調整機構を説明するための模式図である。
【図１４】実施の形態３におけるシャワーヘッドの内部における湯水の流れを示す縦断面図である。
【発明を実施するための形態】
【００１４】
本発明に基づいた各実施の形態におけるシャワーヘッドについて、以下、図を参照しながら説明する。なお、以下に説明する実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。
【００１５】
なお、以下に示す湯水とは、加温されていない水または所定の温度にまで加温された温水を意味する。
【００１６】
（実施の形態１）
図１から図８を参照して、本実施の形態におけるシャワーヘッド１００Ａの構造について説明する。まず、図１および図２を参照して、シャワーヘッド１００Ａの概略構成について説明する。図１は、シャワーヘッド１００Ａの構造を示す全体斜視図、図２は、シャワーヘッド１００Ａの内部構造を示す縦断面図である。
【００１７】
このシャワーヘッド１００Ａは、内部に湯水を流通させる流路１０１ａを設けた把持部１０１と、この把持部１０１の先端側に設けられ、流路１０１ａを流通した湯水を外部に吐出する複数の吐出孔ｈが設けられたシャワーヘッド本体１１０Ａとを備えている。
【００１８】
シャワーヘッド本体１１０Ａの具体的な構造としては、把持部１０１が連結される円筒形状の外部ハウジング１１１を有する。外部ハウジング１１１の下端部には、複数の吐出孔ｈが設けられるノズル壁１１２が設けられている。
【００１９】
外部ハウジング１１１の内部には、浴用剤１３０が収容され、湯水の一部が流れ込む第１流通領域Ｓ１を規定する浴用剤収容部１１５が設けられている。この浴用剤収容部１１５は、上端が開放するとともに有底のカップ形状を有する。浴用剤収容部１１５の内部には、浴用剤収容部１１５の上端を塞ぐキャップ１２０Ａが上部から挿入されている。
【００２０】
キャップ１２０Ａは、浴用剤収容部１１５の内周面に沿って回転中心Ａを中心として、摺動回転可能（図２中の矢印Ｒ方向）な円筒状ガイド部１２１と、円筒状ガイド部１２１の上端を塞ぐプレート部１２２を有している。円筒状ガイド部１２１の内側に、浴用剤１３０が収容されている。浴用剤１３０の形状、成分については後述する。
【００２１】
図３に、図２中のＩＩＩ−ＩＩＩ線矢視断面図を示す。平面視において、浴用剤収容部１１５は、外部ハウジング１１１に対して先端側に偏芯した状態に設けられ、外部ハウジング１１１の内面部と浴用剤収容部１１５の外面との間に生じる空間において、一部の湯水の残りが流れ込む三日月型の第２流通領域Ｓ２が規定される。
【００２２】
再び、図２を参照して、キャップ１２０Ａの円筒状ガイド部１２１には、第２流通領域Ｓ２に向けて開放する内側開口部１２３が設けられ、この内側開口部１２３に対向する浴用剤収容部１１５の側壁１１５ａにも、第２流通領域Ｓ２に向けて開放する外側開口部１１７が設けられている。外側開口部１１７と内側開口部１２３とにより流入量調整機構が構成される。
【００２３】
キャップ１２０Ａを回転中心Ａを中心として回転さて、外側開口部１１７と内側開口部１２３との重なり程度を調整することで、流路１０１ａから第１流通領域Ｓ１へ流れ込む湯水の流入量を調整することができる。詳細については後述する。
【００２４】
浴用剤収容部１１５の底面１１５ｂには、底部開口部１１６が設けられている。また、浴用剤収容部１１５の底面１１５ｂの下方には所定の間隙を隔てて隔壁１１３が設けられている。
【００２５】
浴用剤収容部１１５の底面１１５ｂと隔壁１１３との間の領域により、底部開口部１１６を通じて第１流通領域Ｓ１と連通し、また、第２流通領域Ｓ２とも連通する、湯水混合領域Ｓ３が規定される。
【００２６】
図４に、図２中のＩＶ−ＩＶ線矢視断面図を示す。図３および図４を参照して、隔壁１１３の略中央領域には通過孔１１４が設けられている。また、ノズル壁１１２と湯水混合領域Ｓ３との間にも所定の空間が形成され、この空間において湯水吐出領域Ｓ４が規定される。
【００２７】
湯水混合領域Ｓ３に位置する湯水は、通過孔１１４から湯水吐出領域Ｓ４に流入され、ノズル壁１１２に設けられた複数の吐出孔ｈから外部に突出される。なお、本実施の形態におけるシャワーヘッド１００Ａ内部における湯水の流れの詳細については、後述する。
【００２８】
（浴用剤１３０の形状および成分）
図５に、シャワーヘッド１００Ａに収容される浴用剤の形状を示す。浴用剤１３０の形状は、図５に示すように、円柱の固形形状を有している。高さは、約１０ｍｍ〜約２０ｍｍ、直径は、約２０ｍｍ〜約４０ｍｍである。なお、形状はこの円柱形状に限定されるものではない。本実施の形態では、１回のシャワーに対して、１個の浴用剤１３０を用いることを想定しているが、１個の浴用剤１３０を用いて複数のシャワーを行なうことも可能である。
【００２９】
浴用剤１３０の成分としては、たとえば、硫酸ナトリウム、塩化ナトリウム、ホウ酸炭酸ナトリウム、炭酸カリウム等をベース成分として用いても良い。また、これに配合される保温、保湿、皮膚清浄作用等を奏し得る成分としては、たとえば、トウガラシ、カミツレ、センキュウ、トウキ、ケイヒ、ハマボウフウ、ハッカ、ゴシュウ、トウヒ、ユズ、クスノキ、ケイガイ、ショウブ等の生薬成分や海藻エキス等の各種エキス類が挙げられる。
【００３０】
上記ベース成分および配合成分等は、一般的処方に従って、たとえば、ベース成分９０〜９９．９質量％、配合成分０．１〜１０質量％程度の範囲から適宜決定される量で用いると良い。また、この浴用剤は、上記各成分の所定量を単に混合（配合）するだけで容易に、錠剤等の適当な固剤形態することができる。
【００３１】
浴用剤１３０には、遊離残留塩素を除去するために、Ｌ−アスコルビン酸（ビタミンＣ）を添加配合しても良い。また、溶解度の高いものの一例として、チオ硫酸ナトリウム、亜硫酸ナトリウムなどを用いると、必要量以上の薬剤を溶出させ、原水と混合することにより全量、浄水とすることができる。
【００３２】
また、この浴用剤には、上記成分の他に、更に必要に応じてこの種浴用剤に使用できることの知られている他の薬効成分や各種の添加剤を添加配合しても良い。上記薬効成分としては、たとえばサリチル酸メチル、アロエエキス、カンゾウエキス等の消炎剤成分やメントール等の清涼剤成分が挙げられる。他の添加剤としては、パラオキシ安息香酸メチル、パラオキシ安息香酸プロピル等の保存剤、ＥＤＴＡ等の水質改善剤、香料着色料等が挙げられる。
【００３３】
また、発泡性の浴用剤とする場合には、発泡成分として、セスキ炭酸ナトリウム、重炭酸マグネシウム、炭酸マグネシウム、炭酸カルシウム、炭酸カリウム等の炭酸塩と中和剤としてコハク酸、アジピン酸、リンゴ酸、酒石酸、マロン酸、ピロリドンカルボン酸、リン酸、アミノ酸、フマル酸等の水溶性で固体の酸を配合すると良い。
【００３４】
（湯水の第１流通領域Ｓ１への流入量調整機構）
次に、図６および図７を参照して、第１流通領域Ｓ１へ流れ込む湯水の流入量を調整する流入量調整機構について説明する。図６は、浴用剤収容部１１５に設けられた外側開口部１１７とキャップ１２０Ａの円筒状ガイド部１２１に設けられた内側開口部１２３とが、完全に重なりあった状態を示している。この状態は、流入量調整機構が全開した状態となる。
【００３５】
一方、図７は、キャップ１２０Ａを、回転中心Ａを中心として大きく回転さて状態を示し、外側開口部１１７と内側開口部１２３とが完全にずれた状態を示している。この状態は、流入量調整機構が全閉した状態となる。
【００３６】
このように、外側開口部１１７と内側開口部１２３との重なりの程度を、キャップ１２０Ａを、回転中心Ａを中心に回転させて調節することで、流路１０１ａから第１流通領域Ｓ１へ流れ込む湯水の流入量を調整することができる。
【００３７】
また、本実施の形態におけるシャワーヘッド１００Ａにおいては、第１流通領域Ｓ１および第２流通領域Ｓ２の隔壁１１３の表面に平行な平面でみた場合におけるそれぞれの面積Ａ１，Ａ２（図３参照）の合計は、通過孔１１４の面積Ａ３（図４参照）よりも大きく設けられている。
【００３８】
（シャワーヘッド１００Ａの内部における湯水の流れ）
次に、図８を参照して、シャワーヘッド１００Ａの内部における湯水の流れについて説明する。把持部１０１の流路１０１ａを通過した流水の一部は、外側開口部１１７および内側開口部１２３を通過し、第１流通領域Ｓ１の内部に流れ込む。
【００３９】
Ｓ１の内部に流れ込んだ湯水は、第１流通領域Ｓ１に収容された浴用剤１３０を溶解する。浴用剤成分を含む湯水（Ｆ２）は、底部開口部１１６を通過して湯水混合領域Ｓ３に流れ出る。
【００４０】
一方、把持部１０１の流路１０１ａを通過した残りの湯水（Ｆ１）は、第２流通領域Ｓ２を流れ、湯水混合領域Ｓ３において、浴用剤成分を含む湯水（Ｆ２）と混合される。湯水混合領域Ｓ３において混合された湯水（Ｆ３）は、隔壁１１３に設けられた通過孔１１４から湯水吐出領域Ｓ４に流出する。
【００４１】
湯水吐出領域Ｓ４に流出した湯水（Ｆ３）は、ノズル壁１１２に設けられた複数の吐出孔ｈから、外部に吐出される。
【００４２】
（作用・効果）
本実施の形態におけるシャワーヘッド本体１１０Ａを用いたシャワーヘッド１００Ａによれば、湯水混合領域Ｓ３において、浴用剤成分を含む湯水（Ｆ２）と、流路１０１ａから直接流入した湯水（Ｆ１）とが湯水混合領域Ｓ３において攪拌され、浴用剤成分が混合された湯水（Ｆ３）となる。
【００４３】
また、浴用剤１３０が収容された第１流通領域Ｓ１に流れ込む湯水は、流路１０１ａを通過した湯水の全量が流れ込まず一部のみが流れ込む。さらに、外側開口部１１７と内側開口部１２３とを用いた流入量調整機構によって第１流通領域Ｓ１に流れ込む湯水の量の調節が可能であることから、浴用剤１３０の溶解速度を調節することが可能となる。
【００４４】
これにより、シャワーのみで入浴を済ませる場合であっても、シャワーの使用時間の全時間にわったて、浴用剤の効能を得ることが可能となる。その結果、シャワーを浴びる効果に加え、浴槽につかる場合と同等の効能を期待することができる。
【００４５】
また、第１流通領域Ｓ１および第２流通領域Ｓ２の隔壁１１３の表面に平行な平面でみた場合におけるそれぞれの面積Ａ１，Ａ２（図３参照）の合計は、通過孔１１４の面積Ａ３（図４参照）よりも大きく設けられている。
【００４６】
これにより、流路１０１ａから直接流入した湯水（Ｆ１）と浴用剤成分を含む湯水（Ｆ２）とが、湯水混合領域Ｓ３において滞留することで十分に攪拌され、浴用剤成分が十分に混合された湯水（Ｆ３）を得ることができる。
【００４７】
なお、本実施の形態のシャワーヘッド専用に製造した浴用剤のみ限らず、市販されている入浴用の浴用剤を用いた場合であっても、浴用剤の溶解速度を調節することが可能である。したがって、市販の入浴用の浴用剤を用いた場合であっても、シャワーを浴びる効果に加え、浴槽につかる場合と同等の効能を期待することができる。
【００４８】
また、シャワーヘッドの使用者の用いる流量や水温が異なる場合でも、浴用剤の溶解速度を調節することが可能であることから、シャワーヘッドの使用者の好みに応じた、最適な使用時間において、浴用剤の効能を得ることが可能となる。
【００４９】
（実施の形態２）
次に、図９から図１１を参照して、本実施の形態におけるシャワーヘッド１００Ｂの構造について説明する。なお、上記実施の形態おけるシャワーヘッド１００Ａとの相違点は、シャワーヘッド本体１１０Ｂの構造の相違にあることから、ここではシャワーヘッド本体の構造の相違について詳細に説明する。
【００５０】
図９は、シャワーヘッド１００Ｂの内部構造を示す縦断面図、図１０は、シャワーヘッド１００Ｂの流入量調整機構および流出量調整機構を説明するための模式図、図１１は、シャワーヘッド１００Ｂの内部における湯水の流れを示す縦断面図である。
【００５１】
本実施の形態におけるシャワーヘッド本体１１０Ｂにおいては、浴用剤収容部１１５の内部に、浴用剤収容部１１５の上端を塞ぐキャップ１２０Ｂが上部から挿入されている。
【００５２】
キャップ１２０Ｂは、浴用剤収容部１１５の内周面に沿って回転中心Ａを中心として、摺動回転可能（図２中の矢印Ｒ方向）な円筒状ガイド部１２１と、円筒状ガイド部１２１の上端を塞ぐプレート部１２２を有している。さらに、キャップ１２０Ａの円筒状ガイド部１２１には、第２流通領域Ｓ２に向けて開放する内側開口部１２３に加え、下方側にさらに内側開口部１２４が設けられている。
【００５３】
また、内側開口部１２３および内側開口部１２４に対向する浴用剤収容部１１５の側壁１１５ａにも、それぞれ第２流通領域Ｓ２に向けて開放する外側開口部１１７および外側開口部１１８が設けられている。外側開口部１１７と内側開口部１２３とにより流入量調整機構が構成され、外側開口部１１８と内側開口部１２４とにより流出量調整機構が構成される。
【００５４】
なお、実施の形態１において浴用剤収容部１１５の底面１１５ｂに設けられた底部開口部１１６は、本実施の形態のシャワーヘッド本体１１０Ｂには設けられていない。
【００５５】
（第１流通領域Ｓ１への流入量調整機構／湯水混合領域Ｓ３への流出量調整機構）
次に、図１０を参照して、第１流通領域Ｓ１へ流れ込む湯水の流入量調整機構および湯水混合領域Ｓ３へ流れ出す湯水の流出量調整機構について説明する。
【００５６】
実施の形態１と同様に、外側開口部１１７と内側開口部１２３との重なりの程度を、キャップ１２０Ｂを、回転中心Ａを中心に回転させて調節することで、流路１０１ａから第１流通領域Ｓ１へ流れ込む湯水の流入量を調整することができる。同時に、外側開口部１１８と内側開口部１２４との重なりの程度も調節されることで、湯水混合領域Ｓ３へ流れ出す湯水の流出量を調整することができる。
【００５７】
（シャワーヘッド１００Ｂの内部における湯水の流れ）
次に、図１１を参照して、シャワーヘッド１００Ｂの内部における湯水の流れについて説明する。把持部１０１の流路１０１ａを通過した流水の一部は、外側開口部１１７および内側開口部１２３を通過し、第１流通領域Ｓ１の内部に流れ込む。
【００５８】
Ｓ１の内部に流れ込んだ湯水は、第１流通領域Ｓ１に収容された浴用剤１３０を溶解する。浴用剤成分を含む湯水（Ｆ２）は、外側開口部１１８および内側開口部１２４を通過して湯水混合領域Ｓ３に流れ出る。
【００５９】
一方、把持部１０１の流路１０１ａを通過した残りの湯水（Ｆ１）は、第２流通領域Ｓ２を流れ、湯水混合領域Ｓ３において、浴用剤成分を含む湯水（Ｆ２）と混合される。湯水混合領域Ｓ３において混合された湯水（Ｆ３）は、隔壁１１３に設けられた通過孔１１４から湯水吐出領域Ｓ４に流出する。
【００６０】
湯水吐出領域Ｓ４に流出した湯水（Ｆ３）は、ノズル壁１１２に設けられた複数の吐出孔ｈから、外部に吐出される。
【００６１】
このように、本実施の形態におけるシャワーヘッド本体１１０Ｂを用いたシャワーヘッド１００Ｂによっても、実施の形態１におけるシャワーヘッド１００Ａと同様の作用効果を得ることができる。
【００６２】
（実施の形態３）
次に、図１２から図１４を参照して、本実施の形態におけるシャワーヘッド１００Ｃの構造について説明する。なお、上記実施の形態おけるシャワーヘッド１００Ａとの相違点は、シャワーヘッド本体１１０Ｃの構造の相違にあることから、ここではシャワーヘッド本体の構造の相違について詳細に説明する。
【００６３】
図１２は、シャワーヘッド１００Ｃの内部構造を示す縦断面図、図１３は、シャワーヘッド１００Ｃの流入量調整機構および流出量調整機構を説明するための模式図、図１４は、シャワーヘッド１００Ｃの内部における湯水の流れを示す縦断面図である。
【００６４】
本実施の形態におけるシャワーヘッド本体１１０Ｃにおいては、浴用剤収容部１１５の内部に、浴用剤収容部１１５の上端を塞ぐキャップ１２０Ｃが上部から挿入されている。
【００６５】
キャップ１２０Ｃは、浴用剤収容部１１５の内周面に沿って回転中心Ａを中心として、摺動回転可能（図２中の矢印Ｒ方向）な円筒状ガイド部１２１と、円筒状ガイド部１２１の上端を塞ぐプレート部１２２を有している。さらに、キャップ１２０Ａの円筒状ガイド部１２１には、第２流通領域Ｓ２に向けて開放する上下方向に延びた長孔形状の内側開口部１２３Ｌが設けられている。
【００６６】
また、内側開口部１２３Ｌに対向する浴用剤収容部１１５の側壁１１５ａにも、第２流通領域Ｓ２に向けて開放する上下方向に延びた長孔形状の外側開口部１１７Ｌが設けられている。外側開口部１１７Ｌと内側開口部１２３Ｌとにより、その上方側において流入量調整機構が構成されるとともに、その下方側において流出量調整機構が構成される。
【００６７】
なお、実施の形態１において浴用剤収容部１１５の底面１１５ｂに設けられた底部開口部１１６は、本実施の形態のシャワーヘッド本体１１０Ｃには設けられていない。
【００６８】
（第１流通領域Ｓ１への流入量調整機構／湯水混合領域Ｓ３への流出量調整機構）
次に、図１３を参照して、第１流通領域Ｓ１へ流れ込む湯水の流入量調整機構および湯水混合領域Ｓ３へ流れ出す湯水の流出量調整機構について説明する。
【００６９】
実施の形態１と同様に、外側開口部１１７Ｌと内側開口部１２３Ｌとの重なりの程度を、キャップ１２０Ｃを、回転中心Ａを中心に回転させて調節することで、流路１０１ａから第１流通領域Ｓ１へ流れ込む湯水の流入量を調整するとともに、湯水混合領域Ｓ３へ流れ出す湯水の流出量を調整することができる。
【００７０】
（シャワーヘッド１００Ｃの内部における湯水の流れ）
次に、図１４を参照して、シャワーヘッド１００Ｃの内部における湯水の流れについて説明する。把持部１０１の流路１０１ａを通過した流水の一部は、外側開口部１１７Ｌおよび内側開口部１２３Ｌの上方側を通過し、第１流通領域Ｓ１の内部に流れ込む。
【００７１】
Ｓ１の内部に流れ込んだ湯水は、第１流通領域Ｓ１に収容された浴用剤１３０を溶解する。浴用剤成分を含む湯水（Ｆ２）は、外側開口部１１７Ｌおよび内側開口部１２３Ｌの下方側を通過して湯水混合領域Ｓ３に流れ出る。
【００７２】
一方、把持部１０１の流路１０１ａを通過した残りの湯水（Ｆ１）は、第２流通領域Ｓ２を流れ、湯水混合領域Ｓ３において、浴用剤成分を含む湯水（Ｆ２）と混合される。湯水混合領域Ｓ３において混合された湯水（Ｆ３）は、隔壁１１３に設けられた通過孔１１４から湯水吐出領域Ｓ４に流出する。
【００７３】
湯水吐出領域Ｓ４に流出した湯水（Ｆ３）は、ノズル壁１１２に設けられた複数の吐出孔ｈから、外部に吐出される。
【００７４】
このように、本実施の形態におけるシャワーヘッド本体１１０Ｃを用いたシャワーヘッド１００Ｃによっても、実施の形態１におけるシャワーヘッド１００Ａと同様の作用効果を得ることができる。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７６】
１００Ａ，１００Ｂ，１００Ｃ  シャワーヘッド、１０１  把持部、１０１ａ  流路、１１０Ａ，１１０Ｂ，１１０Ｃ  シャワーヘッド本体、１１１  外部ハウジング、１１２  ノズル壁、１１３  隔壁、１１４  通過孔、１１５  浴用剤収容部、１１５ａ  側壁、１１５ｂ  底面、１１６  底部開口部、１１７，１１７Ｌ，１１８  外側開口部、１２０Ａ，１２０Ｂ，１２０Ｃ  キャップ、１２１  円筒状ガイド部、１２２  プレート部、１２３，１２３Ｌ，１２４  内側開口部、１３０  浴用剤、Ｓ１  第１流通領域、Ｓ２  第２流通領域、Ｓ３  湯水混合領域、Ｓ４  湯水吐出領域、ｈ  吐出孔。
【図１】
2013005861.tif 000003
【図２】
2013005861.tif 000004
【図３】
2013005861.tif 000005
【図４】
2013005861.tif 000006
【図５】
2013005861.tif 000007
【図６】
2013005861.tif 000008
【図７】
2013005861.tif 000009
【図８】
2013005861.tif 000010
【図９】
2013005861.tif 000011
【図１０】
2013005861.tif 000012
【図１１】
2013005861.tif 000013
【図１２】
2013005861.tif 000014
【図１３】
2013005861.tif 000015
【図１４】
2013005861.tif 000016